(57)【要約】【課題】商品グループ別にランダムに販売するグループ選択販売と個別選択販売の一方を通常の条件で実行可能とし他方を特別な条件で実行可能とするような販売形態が可能であり、商品グループを複数設定することも可能で、個別選択販売可能な商品を一部の種類の商品に限定することも可能な自動販売機を提供する。【解決手段】商品グループとした複数種類の商品の商品見本３を陳列するグループ選択販売用の商品陳列部４と個別選択販売用の商品陳列部５を設け、グループ選択購入用の操作ボタン６と個別選択販売用の商品陳列部５の各商品見本陳列位置に対応する個別選択販売用の商品選択ボタン７を設けて、同じ複数種類の商品の中から利用客の選択によらずに商品を販売するグループ選択販売と、利用客が選択した商品をグループ選択販売で販売する価格とは異なる価格で販売する個別選択販売とを可能とする。【選択図】図１
2010118022.tif 000002
【特許請求の範囲】
【請求項１】
グループ選択購入のための所定の条件が成立したときに商品グループ毎に利用客により選択された商品グループに属する複数種類の商品の中から利用客の選択によらずにいずれかの種類の商品を選択して第１の価格で販売するためのグループ選択購入処理を行うグループ選択購入処理手段と、
前記グループ選択購入のための所定の条件とは別の個別選択購入のための所定の条件が成立したときに前記グループ選択購入処理により販売可能な商品の中の少なくとも一部の種類の商品の中から利用客が選択したいずれかの種類の商品を第２の価格で販売するための個別選択購入処理を行う個別選択購入処理手段を備えたことを特徴とする自動販売機。
【請求項２】
商品収納部として、前記商品グループ毎に、前記グループ選択購入処理により販売する商品を収納する第１の商品収納部を備えるとともに、該第１の商品収納部とは別に前記個別選択購入処理により販売する商品を収納する第２の商品収納部を備えることを特徴とする請求項１記載の自動販売機。
【請求項３】
前記第１の商品収納部は、前記商品グループ毎の複数種類の商品を順不同に収納することを特徴とする請求項２記載の自動販売機。
【請求項４】
前記第１の商品収納部は、前記商品グループ毎に複数設けられ、前記商品グループ毎の複数種類の商品を種類毎に個別に収納することを特徴とする請求項２記載の自動販売機。
【請求項５】
商品収納部として、前記商品グループ毎の複数種類の商品を種類毎に個別に収納する複数の商品収納部を備え、その少なくとも一部の商品収納部が前記グループ選択購入処理により販売する商品を収納するとともに前記個別選択購入処理により販売する商品を収納することを特徴とする請求項１記載の自動販売機。
【請求項６】
前記グループ選択購入のための所定の条件および前記個別選択購入のための所定の条件は、利用客が提示した支払金額が所定の金額であることを含み、前記グループ選択購入のための所定の条件は、前記支払金額が第１の金額以上で成立し、前記個別選択購入のための所定の条件は、前記支払い金額が前記第１の金額より高額の第２の金額以上で成立することを特徴とする請求項１〜５のいずれか１項記載の自動販売機。
【請求項７】
前記グループ選択購入のための所定の条件および前記個別選択購入のための所定の条件は、利用客が提示した支払金額が所定の金額であることを含み、前記グループ選択購入のための所定の条件は、前記支払金額が第１の金額以上で成立し、前記個別選択購入のための所定の条件は、前記支払い金額が前記第１の金額より低額の第２の金額以上で成立することを特徴とする請求項１〜５のいずれか１項記載の自動販売機。
【請求項８】
前記個別選択購入のための所定の条件は、利用客ごとの購入履歴が所定の購入履歴であることを含み、該所定の購入履歴となったときに成立することを特徴とする請求項１〜６のいずれか１項記載の自動販売機。
【請求項９】
前記個別選択購入のための所定の条件は、前記グループ選択購入のための所定の条件の成立に伴い実行するゲームの結果が所定の結果となることを含み、該所定の結果となったときに成立することを特徴とする請求項１〜７のいずれか１項記載の自動販売機。
【請求項１０】
前記商品グループ毎に前記商品グループを選択して商品の種類を選択せずに商品を購入するために操作するグループ選択購入操作部を備えることを特徴とする請求項１〜９のいずれか１項記載の自動販売機。
【請求項１１】
前記複数種類の商品を種類別に個別に選択して購入するために操作する個別選択購入操作部を前記商品の種類毎に備え、前記個別選択購入のための所定の条件に該個別選択購入操作部の操作が含まれることを特徴とする請求項１〜１０のいずれか１項記載の自動販売機。
【請求項１２】
前記個別選択購入の処理により販売可能な商品は、前記グループ選択購入の処理により販売可能な商品の内の一部の種類の商品のみであることを特徴とする請求項１〜１１のいずれか１項記載の自動販売機。
【請求項１３】
前記グループ選択購入の処理により販売可能な商品の商品見本と、前記個別選択購入の処理により販売可能な商品の商品見本とを別々に陳列する商品陳列部を備えることを特徴とする請求項１〜１２のいずれか１項記載の自動販売機。
【発明の詳細な説明】
【技術分野】
【０００１】
本発明は、商品グループ毎に利用客の選択によらずにいずれかの種類の商品を選択して販売するグループ選択販売が可能であるとともに、少なくとも一部の種類の商品の中から利用客が選択したいずれかの種類の商品をグループ選択販売により販売する価格とは異なる価格で個別に販売する個別選択販売が可能な自動販売機に関する。
【背景技術】
【０００２】
従来の自動販売機は、１種類の商品に対して１つ或いは１グループの商品選択ボタンが対応していて、商品選択ボタンを押すと、その商品選択ボタンに対応する商品を収納した商品コラムから商品が払い出されるようになっており、複数種類の商品の中からランダムに１つの商品が払い出されるようなゲーム性の強い販売形態とすることはできない。しかし、商品によっては、そうしたゲーム性の強い販売形態が要求される場合がある。そのため、例えば、通常の商品選択ボタンとは別にランダム販売用のボタン（ミステリーボタン）を設け、このボタンを押すことで複数種類の商品の中からランダムに商品が選択されて販売され、また、こうしてランダムに選択された商品については、通常の商品選択ボタンの操作によって販売される商品よりも割引かれて販売されるようにした自動販売機が考えられている（例えば、特許文献１参照。）。
【特許文献１】特開平１０−２８９３７２号公報
【発明の開示】
【発明が解決しようとする課題】
【０００３】
しかし、複数種類の商品の中からランダムに商品が選択されて販売され、そのランダムに選択された商品については通常よりも割引かれるようにしたといっても、上記従来の自動販売機の場合は、通常の商品選択ボタンの操作による商品の種類毎の個別選択販売が基本的な販売形態で、利用客が金銭を投入すると、投入された金額の範囲内で通常のランダム販売と個別選択販売のどちらもが可能となるものようにしたものであって、それ以外の販売形態とはなり得ず、例えば、ランダム販売を通常の基本的な販売形態とし、商品の種類毎の個別選択販売を特別な販売形態としたいというような要求に対応できない。
【０００４】
また、上記従来の自動販売機の場合は、販売する全種類の商品の中からランダムに販売し、また、全種類の商品を対象として個別選択販売が可能であって、例えば複数種類の商品を商品の種類により複数の商品グループにグループ分けして、商品グループ毎にグループ選択販売（ランダム販売）可能としたり、個別選択販売可能な商品の種類を限定したいというような要求に対応できない。
【０００５】
本発明は、商品グループ毎に利用客の選択によらずにいずれかの商品を選択して販売するグループ選択販売が可能であるとともに、利用者が選択した商品をグループ選択販売で販売する価格とは異なる価格で個別に販売する個別選択販売が可能であり、且つ、グループ選択販売と個別選択販売のいずれか一方を通常の条件で実行可能とし他方を特別な条件で実行可能とするような販売形態が可能であり、また、商品グループを複数設定することも可能であり、個別選択販売可能な商品を一部の種類の商品に限定することも可能な自動販売機を提供することを目的とする。
【課題を解決するための手段】
【０００６】
本発明の自動販売機は、グループ選択購入のための所定の条件が成立したときに商品グループ毎に利用客により選択された商品グループに属する複数種類の商品の中から利用客の選択によらずにいずれかの種類の商品を選択して第１の価格で販売するためのグループ選択購入処理を行うグループ選択購入処理手段と、グループ選択購入のための所定の条件とは別の個別選択購入のための所定の条件が成立したときにグループ選択購入処理により販売可能な商品の中の少なくとも一部の種類の商品の中から利用客が選択したいずれかの種類の商品を第２の価格で販売するための個別選択購入処理を行う個別選択購入処理手段を備えたことを特徴とする。
【０００７】
この自動販売機は、グループ選択購入のための所定の条件が成立したときに、グループ選択購入処理を実行して、商品グループ毎に利用客により選択された商品グループに属する複数種類の商品の中から利用客の選択によらずにいずれかの種類の商品を選択して第１の価格で販売するグループ選択販売を行い、グループ選択購入のための所定の条件とは別の個別選択購入のための所定の条件が成立したときに、個別選択購入処理を実行して、グループ選択購入処理により販売可能な商品の中の少なくとも一部の種類の商品の中から利用者が選択したいずれかの種類の商品を第２の価格で販売する個別選択販売を行うことができる。この場合、グループ選択購入のための所定の条件と個別選択購入のための所定の条件とが異なることで、例えばグループ選択販売（ランダム販売）を通常の販売形態とし、個別選択販売を特別な販売形態とするなど、グループ選択販売と個別選択販売のいずれか一方を通常の条件で実行可能とし他方を特別な条件で実行可能とするような販売形態が可能になる。
【０００８】
この自動販売機は、商品収納部として、商品グループ毎に、グループ選択購入処理により販売する商品を収納する第１の商品収納部を備えるとともに、該第１の商品収納部とは別に個別選択購入処理により販売する商品を収納する第２の商品収納部を備えるものであってよい。この場合、第１の商品収納部にはグループ選択購入処理により販売される商品が収納され、第２の商品収納部には第１の商品収納部に収納される商品（グループ選択購入処理により販売される商品）の中の少なくとも一部の種類の商品が収納される。そして、グループ選択販売では第１の商品収納部に収納された商品が販売され、個別選択販売では第２の商品収納部に収納された商品が販売される。
【０００９】
そして、第１の商品収納部は、商品グループ毎の複数種類の商品を順不同に収納するものであってよい。この場合、グループ選択購入処理手段によるグループ選択購入処理は、例えば、第１の商品収納部に収納された商品を収納順に取り出して販売するものとすることができる。
【００１０】
また、第１の商品収納部は、商品グループ毎に複数設けられ、商品グループ毎の複数種類の商品を種類毎に個別に収納するものであってもよい。この場合、グループ選択購入処理手段によるグループ選択購入処理は、選択確率等に基づいてランダムに商品収納部を選択し、その選択した商品収納部の商品を取り出して販売することで、グループ選択販売が可能である。
【００１１】
また、この自動販売機は、商品収納部として、商品グループ毎の複数種類の商品を種類毎に個別に収納する複数の商品収納部を備え、その少なくとも一部の商品収納部がグループ選択購入処理により販売する商品を収納するとともに個別選択購入処理により販売する商品を収納するものであってよい。この場合、個別選択購入処理により販売される商品は、グループ選択処理により販売される商品と区別無く、商品の種類毎に同じ商品収納部に収納される。そして、その同じ商品収納部に収納された商品が、グループ選択販売で販売され、また個別選択販売で販売される。
【００１２】
そして、この自動販売機において、グループ選択購入のための所定の条件および個別選択購入のための所定の条件は、利用客が提示した支払金額（例えば投入金額）が所定の金額であることを含み、グループ選択購入のための所定の条件が、利用客が提示した支払金額が第１の金額以上で成立し、個別選択購入のための所定の条件が、利用客が提示した支払い金額が第１の金額より高額の第２の金額以上で成立するものであってよい。この場合、グループ選択販売（ランダム販売）を低額の支払を条件として実行可能な通常の販売形態とし個別選択販売を高額の支払を条件として実行可能な特別な販売形態とする販売形態が可能になる。
【００１３】
また、この自動販売機において、グループ選択購入のための所定の条件および個別選択購入のための所定の条件は、利用客が提示した支払金額（例えば投入金額）が所定の金額であることを含み、グループ選択購入のための所定の条件が、利用客が提示した支払金額が第１の金額以上で成立し、個別選択購入のための所定の条件が、利用客が提示した支払い金額が第１の金額より低額の第２の金額で成立するものであってよい。この場合、グループ選択販売（ランダム販売）を高額の支払で実行可能な通常の販売形態とし個別選択販売を低額の支払で実行可能な特別な販売形態とする販売形態が可能になる。
【００１４】
また、この自動販売機において、個別選択購入のための所定の条件は、利用客ごとの購入履歴が所定の購入履歴であることを含み、該所定の購入履歴となったときに成立するものであってよい。この場合、利用客ごとの購入履歴が所定の購入履歴となったときに個別選択販売が可能となる。
【００１５】
また、この自動販売機において、個別選択購入のための所定の条件は、グループ選択購入のための所定の条件の成立に伴い実行するゲームの結果が所定の結果となることを含み、該所定の結果となったときに成立するものであってよい。この場合、グループ選択購入のための所定の条件の成立に伴い実行するゲームの結果が所定の結果となったときに個別選択販売が可能となる。
【００１６】
そして、この自動販売機は、商品グループ毎に商品グループを選択して商品の種類を選択せずに商品を購入するために操作するグループ選択購入操作部を備えるものであってよい。この場合、グループ選択購入操作部の操作により商品グループが選択され、グループ選択販売が行われる。
【００１７】
また、この自動販売機は、複数種類の商品を種類別に個別に選択して購入するために操作する個別選択購入操作部を商品の種類毎に備え、個別選択購入のための所定の条件に該個別選択購入操作部の操作が含まれるものとするのがよい。この場合、個別選択購入操作部の操作により商品が種類別に個別に選択され、個別選択販売が行われる。
【００１８】
また、この自動販売機において、個別選択購入の処理により販売可能商品は、グループ選択購入の処理により販売可能な商品の内の一部の種類の商品のみであってよい。この場合、商品グループ内の複数種類の商品の内の特定種類の商品を例えばプレミアム商品として、グループ選択販売時の価格（第１の価格）より高額とした第２の価格で個別選択販売するようにでき、また、商品グループ内の複数種類の商品の内の特定種類の商品を例えば御手頃商品として、グループ選択販売時の価格（第１の価格）より低額とした第２の価格で個別選択販売するようにできる。
【００１９】
また、この自動販売機は、グループ選択購入の処理により販売可能な商品の商品見本と、個別選択購入の処理により販売可能な商品の商品見本とを別々に陳列する商品陳列部を備えるものであってよい。この場合、グループ選択販売可能な商品の商品見本と個別選択販売可能な商品の商品見本とを別々に陳列することができ、利用客にとって選択が容易になる。
【発明の効果】
【００２０】
以上の説明から明らかなように、本発明によれば、商品グループ毎に利用客の選択によらずにいずれかの商品を選択して販売するグループ選択販売が可能であるとともに、利用者が選択した商品をグループ選択販売で販売する価格とは異なる価格で個別に販売する個別選択販売が可能であり、且つ、グループ選択販売と個別選択販売のいずれか一方を通常の条件で実行可能とし他方を特別な条件で実行可能とするような販売形態が可能であり、また、商品グループを複数設定することも可能であり、個別選択販売可能な商品を一部の種類の商品に限定することも可能な自動販売機が得られる。
【発明を実施するための最良の形態】
【００２１】
以下、本発明の実施形態を図面に基づいて説明する。
（実施形態の第１の例）
図１〜図４は本発明の実施形態の第１の例を示している。図１は自動販売機の斜視図、図２は自動販売機の扉開放時の斜視図、図３は制御ブロック図、図４は販売動作制御のフローチャートである。
【００２２】
この実施形態の自動販売機は、例えばＡ〜Ｄの４種類（４種類に限るものではなく、複数種類であればよい。）の商品を１つの商品グループとして、このＡ〜Ｄの４種類の商品からなる商品グループの中から、利用客自らが商品を選択するのではなくて、自動販売機の方で商品（種類）を選択して販売する非選択販売（グループ選択販売）を通常の販売形態とし、特別な販売形態として、同じ商品グループのＡ〜Ｄの全ての種類の商品の中から利用客が選択した商品（種類）をグループ選択販売で販売する価格とは異なる価格で個別に販売する個別選択販売が可能であるようにしたものであって、図１に示すように、自動販売機本体１の正面に開閉可能に扉体２が設けられ、扉体２に、Ａ〜Ｄの４種類の商品の商品見本３を陳列する非選択販売（グループ選択販売）用の商品陳列部４と、同じＡ〜Ｄの４種類の商品の商品見本３を陳列する個別選択販売用の商品陳列部５が、上下２段となる配置で設けられている。そして、上段の非選択販売（グループ選択販売）用の商品陳列部４に対応して、非選択販売（グループ選択販売）により商品の種類を選択せずに商品を購入するために利用客が操作する非選択購入用（グループ選択購入用）の操作ボタン６（グループ選択購入操作部）が１個設けられ、また、下段の個別選択販売用の商品陳列部５の各商品見本陳列位置に対応して、個別選択販売により利用客が商品を種類別に個別に選択して購入するために操作する商品選択ボタン７（個別選択購入操作部）が設けられている。
【００２３】
また、自動販売機の扉体２には、硬貨を投入する硬貨投入口８、紙幣を投入する紙幣投入口９、釣り銭等の払い出操作をする返却レバー１０、投入金額等を表示する金額表示部１１、釣り銭等を払い出す返却口１２、商品を払い出す商品払出口１３がそれぞれ設けられている。
【００２４】
また、自動販売機本体１の内部には、図２に示すように、上下方向に複数段（図示の例では２段であるが、これに限るものではない。）となり左右方向に複数列（図示の例では６列であるが、これに限るものではない。）となる配置で複数の商品コラム１４ａ〜１４ｆ，１５ａ〜１５ｆ（商品収納部）が設けられている。各商品コラム１４ａ〜１４ｆ，１５ａ〜１５ｆには、それぞれ商品の入った同形同寸の箱状容器Ｐ（以下、単に「商品」という。）が積載収納される。そして、各商品コラム１４ａ〜１４ｆ，１５ａ〜１５ｆには、それぞれ最下部に、収納された商品を最下段の商品から順番に投出する商品投出ユニット１６が設けられている。
【００２５】
そして、この自動販売機は、制御部２０および各種設定データ等を記憶する記憶手段であるメモリ２１を有し、図３に示すように、制御部２０に非選択購入用（グループ選択購入用）の操作ボタン６（非選択購入ボタン）と各商品選択ボタン７と各商品投出ユニット１６とメモリ２１が回線接続されている。
【００２６】
制御部２０は、非選択販売（グループ選択販売）によるグループ選択購入のための所定の条件が成立したときに商品グループ毎に（この実施形態では商品グループは１つである）利用客により選択された商品グループに属する複数種類の商品（Ａ〜Ｄの４種類の商品）の中から利用客の選択によらずにいずれかの種類の商品を選択して第１の価格（たとえば１００円）で販売するためのグループ選択購入処理を行うグループ選択購入処理手段を構成し、非選択販売（グループ選択販売）によるグループ選択購入のための所定の条件とは別の個別選択販売による個別選択購入のための所定の条件が成立したときにグループ選択購入処理により販売可能な商品（Ａ〜Ｄの４種類の商品）の中の少なくとも一部（この実施形態では全部）の種類の商品の中から利用者が選択したいずれかの種類の商品を第１の価格とは異なる第２の価格（例えば５００円）で販売するための個別選択購入処理を行う個別選択購入処理手段を構成する。
【００２７】
そして、グループ選択購入のための所定の条件を、利用客が提示した支払金額すなわち投入金額が第１の金額（例えば１００円）以上で、且つ、非選択購入用（グループ選択購入用）の操作ボタン６が操作されることとし、個別選択購入のための所定の条件を、投入金額が第１の金額より高額の第２の金額（例えば５００円）以上で、且つ、いずれか１つの商品選択ボタン７（個別選択購入操作部）が操作されることとして、例えば、１００円が投入されて非選択購入用（グループ選択購入用）の操作ボタン６が押されると、グループ選択購入のための所定の条件が成立したということで、グループ選択購入処理を実行して、Ａ〜Ｄの４種類の商品（商品グループ毎に利用客により選択された商品グループに属する複数種類の商品）の中から、利用客の選択によらずにいずれかの種類の商品をランダムに選択して１００円（第１の価格）で販売するグループ選択販売を行い、５００円が投入されて、いずれか１つの商品選択ボタン７（個別選択購入操作部）が押されると、グループ選択購入のための所定の条件とは別の個別選択購入のための所定の条件が成立したということで、個別選択購入処理を実行して、Ａ〜Ｄの４種類の商品（グループ選択購入処理により販売可能な商品の中の少なくとも一部の種類の商品）の中から、操作された商品選択ボタン７（個別選択購入操作部）に対応する商品（利用客が選択したいずれかの種類の商品）を５００円（第１の価格とは異なる第２の価格）で販売する個別選択販売を行う。
【００２８】
こうすることで、非選択販売（グループ選択販売）を通常の販売形態とし、プレミアム商品等の人気商品を高価格で選択購入可能な個別選択販売を特別な販売形態とする販売形態が可能になる。
【００２９】
なお、個別選択販売は、個別選択購入のための所定の条件である第２の金額を、非選択販売（グループ選択販売）のための所定の条件である第１の金額より低額とすることもでき、そうすることで、特定種類の商品を例えば御手頃商品として、非選択販売（グループ選択販売）時の価格（第１の価格）より低額とした第２の価格で個別選択販売するようにできる。
【００３０】
商品コラム１４ａ〜１４ｆ，１５ａ〜１５ｆは、図示のように上下に２段、左右に６列となる配置の場合、例えば、上段６列の商品コラム１４ａ〜１４ｆはグループ選択購入処理により販売する商品を収納する第１の商品収納部とし、下段６列の商品コラム１５ａ〜１５ｆは、個別選択購入処理により販売する商品を収納する第２の商品収納部とする。そして、第１の商品収納部である上段６列の商品コラム１４ａ〜１４ｆにＡ〜Ｄの４種類の商品を種類毎に個別に収納し（一部種類の商品は複数の商品コラムに収納する）、第２の商品収納部である下段６列の商品コラム１５ａ〜１５ｆにもＡ〜Ｄの４種類の商品を種類毎に個別に収納する（一部種類の商品は複数の商品コラムに収納する）。
【００３１】
この場合、非選択販売（グループ選択販売）では、選択確率等に基づいてランダムにいずれかの種類の商品を選択し、その選択した商品を収納した商品コラム１４ａ〜１４ｆから商品を投出して販売する。また、個別選択販売では、操作された商品選択ボタン７に対応するいずれかの種類の商品を収納した商品コラム１５ａ〜１５ｆから商品を投出して販売する。
【００３２】
なお、この例では、上段の商品コラム１４ａ〜１４ｆは非選択販売（グループ選択販売）で販売する商品を収納する第１の商品収納部とし、下段の商品コラム１５ａ〜１５ｆは個別選択販売で販売する商品を収納する第２の商品収納部として、両者を区別しているが、このように非選択販売（グループ選択販売）と個別選択販売とで商品収納部を区別するのではなく、全ての商品コラム１４ａ〜１４ｆ，１５ａ〜１５ｆを共通の商品収納部とし、同じ商品収納部に収納された商品が、非選択販売（グループ選択販売）で販売され、また個別選択販売で販売されるようにすることもできる。
【００３３】
また、非選択販売（グループ選択販売）と個別選択販売とで商品収納部を区別する場合に、非選択販売（グループ選択販売）で販売する商品を収納する第１の商品収納部としての商品コラム１４ａ〜１４ｆは、それぞれに複数種類の商品を順不同に収納し、それら順不同に収納された商品を収納順に取り出して販売するようにしてもよい。
【００３４】
この実施形態の自動販売機の販売動作制御の処理は一例として図４のフローチャートに示すように、まず、１００円硬貨が投入されたかどうかを判定する（ステップＳ１）。そして、１００円硬貨が投入されたというときは、非選択購入用（グループ選択購入用）の操作ボタン６（非選択購入ボタン）を有効にし（ステップＳ２）、操作ボタン６（非選択購入ボタン）が押下されるまで待って（ステップＳ３）、操作ボタン６（非選択購入ボタン）が押下されると、投出する商品を決定し（ステップＳ４）、その商品を投出する（ステップＳ５）。
【００３５】
また、１００円硬貨が投入されたかどうかの判定（ステップＳ１）で、１００円硬貨が投入されたのではないというときは、５００円硬貨が投入されたかどうかを判定する（ステップＳ６）。そして、５００円硬貨が投入されたのでもないというときは、最初の、１００円硬貨が投入されたかどうかの判定（ステップＳ１）に戻り、５００円硬貨が投入されたというときは、商品選択ボタン７を有効にし（ステップＳ７）、商品選択ボタン７が押下されるまで待って（ステップＳ８）、商品選択ボタン７が押下されると、その押下された商品選択ボタン７に対応する商品を投出する（ステップＳ５）。
【００３６】
図４のフローチャートでは、処理を簡略化して、１００硬貨と５００円硬貨のみを使用し、１００硬貨が投入された場合は非選択購入処理（グループ選択購入処理）が１回だけ実行可能とされ、５００円硬貨が投入された場合は選択購入処理（個別選択購入処理）が１回だけ実行可能とされる例を示したが、投入金額が５００円未満の場合は、非選択購入処理（グループ選択購入処理）のみ実行可能とされ、投入金額が５００円以上の場合は、非選択購入処理（グループ選択購入処理）と選択購入処理（個別選択購入処理）の両方の処理が実行可能とされるようにしてもよい。また、各購入処理を１回実行した後、購入処理に要する金額（非選択購入処理の場合は１００円、選択購入処理の場合は５００円）を投入金額から減算し、残りの金額が１００円以上の場合は、同様の処理を繰り返すようにしてもよい。また、周知の自動販売機の処理と同様に、返却レバー１０が操作されたときに残金を返却する処理を追加してもよい。
【００３７】
（実施形態の第２の例）
図５は本発明の実施形態の第２の例の自動販売機の正面図である。
この実施形態（第２の例）の自動販売機は、例えばＡ〜Ｆの６種類（６種類に限るものではなく、４種類以上であればよい。）の商品を、例えばＡ〜Ｃの３種類の商品を第１の商品グループとし、Ｄ〜Ｆの３種類の商品を第２の商品グループとして、２つの商品グループに分け、それら商品グループ毎に、通常の販売形態であるグループ選択販売と、特別な販売形態である個別選択販売が可能であるようにしたものである。
【００３８】
この自動販売機の扉体２には、正面上部の左側に、例えばＡ〜Ｃの３種類の商品の商品見本３を陳列するグループ選択販売用の第１の商品陳列部４Ａと、同じＡ〜Ｃの３種類の商品の商品見本３を陳列する個別選択販売用の第１の商品陳列部５Ａが上下２段となる配置で設けられ、正面上部の右側に、Ｄ〜Ｆの３種類の商品の商品見本３を陳列するグループ選択販売用の第２の商品陳列部４Ｂと、同じＤ〜Ｆの３種類の商品の商品見本３を陳列する個別選択販売用の第２の商品陳列部５Ｂが上下２段となる配置で設けられ、左右上段のグループ選択販売用の第１および第２の商品陳列部４Ａ，４Ｂに対応して、グループ選択販売により商品の種類を選択せずに商品を購入するために利用客が操作するグループ選択購入用の操作ボタン６（グループ選択購入操作部）が各１個設けられ、また、左右下段の個別選択販売用の第１および第２の商品陳列部５Ａ，５Ｂの各商品見本陳列位置に対応して、個別選択販売により利用客が商品を種類別に個別に選択して購入するために操作する商品選択ボタン７（個別選択購入操作部）が設けられている。また、扉体２には、先の第１の例と同様に、硬貨投入口８、紙幣投入口９、返却レバー１０、金額表示部１１、返却口１２、商品払出口１３がそれぞれ設けられている。
【００３９】
この実施形態（第２の例）では、グループ選択販売は、利用客がグループ選択販売用の所定の金額を投入し、左右上段の第１および第２の商品陳列部４Ａ，４Ｂのいずれかの対応する操作ボタン６のいずれかを操作することで実行される。また、個別選択販売は、利用者が個別選択販売用の金額を投入し、左右下段の第１および第２の商品陳列部５Ａ，５Ｂの各商品見本陳列位置に対応する商品選択ボタン７を操作することで実行される。そして、その販売形態、販売動作制御等は先の第１の例と同様である。図２〜図４はこの実施形態（第２の例）にも対応する。
【００４０】
（実施形態の第３の例）
図６は本発明の実施形態の第３の例の自動販売機の正面図である。
この実施形態（第３の例）の自動販売機は、例えばＡ〜Ｄの４種類（４種類に限るものではなく、複数種類であればよい。）の商品を１つの商品グループとして、このＡ〜Ｄの４種類の商品からなる商品グループの中から、利用客自らが商品を選択するのではなくて、自動販売機の方で商品（種類）を選択して販売する非選択販売（グループ選択販売）を通常の販売形態とし、特別な販売形態として、その非選択販売（グループ選択販売）で販売される商品の内の一部の種類である例えばＡおよびＢの２種類の商品のみを、特別な販売形態である個別選択販売が可能であるようにしたものである。
【００４１】
この自動販売機の扉体２には、正面上部に、Ａ〜Ｄの４種類の商品の商品見本３を陳列する非選択販売用（グループ選択販売用）の商品陳列部４と、ＡおよびＢの２種類の商品の商品見本３を陳列する個別選択販売用の商品陳列部５が上下２段となる配置で設けられ、上段の非選択販売（グループ選択販売）用の商品陳列部４に対応して、非選択販売（グループ選択販売）により商品の種類を選択せずに商品を購入するために利用客が操作する非選択購入用（グループ選択購入用）の操作ボタン６（グループ選択購入操作部）が１個設けられ、また、下段の個別選択販売用の商品陳列部５の各商品見本陳列位置に対応して、個別選択販売により利用客が商品を種類別に個別に選択して購入するために操作する商品選択ボタン７（個別選択購入操作部）が設けられている。また、扉体２には、先の第１の例と同様に、硬貨投入口８、紙幣投入口９、返却レバー１０、金額表示部１１、返却口１２、商品払出口１３がそれぞれ設けられている。
【００４２】
この実施形態（第３の例）では、非選択販売（グループ選択販売）は、利用客がグループ選択販売用の所定の金額を投入し、上段の商品陳列部４に対応する操作ボタン６を操作することで実行される。また、個別選択販売は、利用者が個別選択販売用の金額を投入し、下段の商品陳列部５の各商品見本陳列位置に対応する商品選択ボタン７を操作することで実行される。そして、その販売形態、販売動作制御等は先の第１の例と同様である。図２〜図４はこの実施形態（第３の例）にも対応する。
【００４３】
この実施形態（第３の例）では、例えばＡ〜Ｄの４種類の商品からなる商品グループの中から利用客の選択によらずにいずれかの商品を選択して販売する非選択販売（グループ選択販売）が可能であるとともに、ＡおよびＢの２種類の商品については、利用者が選択した商品を非選択販売（グループ選択販売）で販売する価格とは異なる価格で個別に販売する個別選択販売が可能で、ＡおよびＢの２種類の商品を例えばプレミアム商品として、非選択販売（グループ選択販売）時の価格（第１の価格）より高額とした第２の価格で個別選択販売するようにでき、また、ＡおよびＢの２種類の商品を例えば御手頃商品として、非選択販売（グループ選択販売）時の価格（第１の価格）より低額とした第２の価格で個別選択販売するようにできる。
【００４４】
（実施形態の第４の例）
図７は本発明の実施形態の第４の例の自動販売機の正面図である。
この実施形態（第４の例）の自動販売機は、例えばＡ〜Ｄの４種類（４種類に限るものではなく、複数種類であればよい。）の商品を１つの商品グループとして、このＡ〜Ｄの４種類の商品からなる商品グループの中から、利用客自らが商品を選択するのではなくて、自動販売機の方で商品（種類）を選択して販売する非選択販売（グループ選択販売）を通常の販売形態とし、特別な販売形態として、その非選択販売（グループ選択販売）で販売される商品の内の一部の種類であるＡおよびＢの２種類の商品のみを、特別な販売形態である個別選択販売が可能であるようにしたものであり、また、非選択販売（グループ選択販売）については、商品見本を陳列する代わりに、どういう種類の商品グループであるかの商品情報（例えばシリーズ商品である場合のシリーズ品）をパネル等で表示し、また、非選択購入用（グループ選択購入用）の操作ボタン（グループ選択購入操作部）を設けずに、金銭投入後、所定時間が経過すると自動的に商品を選択して投出するようにしたものである。
【００４５】
この自動販売機の扉体２には、正面上部に、シリーズ名等の商品情報をパネル表示する商品情報表示部１７と、ＡおよびＢの２種類の商品の商品見本３を陳列する個別選択販売用の商品陳列部５が上下に並んで設けられ、個別選択販売用の商品陳列部５の各商品見本陳列位置に対応して、個別選択販売により利用客が商品を種類別に個別に選択して購入するために操作する商品選択ボタン７（個別選択購入操作部）が設けられている。また、扉体２には、先の第１の例と同様に、硬貨投入口８、紙幣投入口９、返却レバー１０、金額表示部１１、返却口１２、商品払出口１３がそれぞれ設けられている。
【００４６】
この実施形態（第４の例）では、非選択販売（グループ選択販売）は、利用客が非選択販売用（グループ選択販売用）の所定の金額を投入することで実行される。また、個別選択販売は、利用者が個別選択販売用の金額を投入し、下段の商品陳列部５の各商品見本陳列位置に対応する商品選択ボタン７を操作することで実行される。そして、その販売形態、販売動作制御等は先の第１の例と同様である。図２〜図４はこの実施形態（第３の例）にも対応する。
【００４７】
この実施形態（第４の例）では、例えばＡ〜Ｄの４種類の商品からなる商品グループの中から利用客の選択によらずにいずれかの商品を選択して販売するグループ選択販売が可能であるとともに、ＡおよびＢの２種類の商品については、利用者が選択した商品を非選択販売（グループ選択販売）で販売する価格とは異なる価格で個別に販売する個別選択販売が可能で、ＡおよびＢの２種類の商品を例えばプレミアム商品として、非選択販売（グループ選択販売）時の価格（第１の価格）より高額とした第２の価格で個別選択販売するようにでき、また、ＡおよびＢの２種類の商品を例えば御手頃商品として、非選択販売（グループ選択販売）時の価格（第１の価格）より低額とした第２の価格で個別選択販売するようにできる。
【００４８】
（実施形態の第５の例）
図８は本発明の実施形態の第５の例の自動販売機の正面図である。
この実施形態（第５の例）の自動販売機は、例えばＡ〜Ｄの４種類（４種類に限るものではなく、複数種類であればよい。）の商品を１つの商品グループとして、通常の販売形態である非選択販売（グループ選択販売）と、特別な販売形態である個別選択販売が可能であるようにしたものであり、また、非選択販売（グループ選択販売）については、商品陳列部等は設けず、非選択購入用（グループ選択購入用）の操作ボタン６（グループ選択購入操作部）だけを設けたものである。
【００４９】
この自動販売機の扉体２には、正面上部に、例えばＡ〜Ｄの４種類の商品の商品見本３を陳列する個別選択販売用の商品陳列部５が設けられ、その下方中央に、非選択販売（グループ選択販売）により商品の種類を選択せずに商品を購入するために利用客が操作する非選択購入用（グループ選択購入用）の操作ボタン６（グループ選択購入操作部）が１個設けられ、個別選択販売用の商品陳列部５の各商品見本陳列位置に対応して、個別選択販売により利用客が商品を種類別に個別に選択して購入するために操作する商品選択ボタン７（個別選択購入操作部）が設けられている。また、扉体２には、先の第１の例と同様に、硬貨投入口８、紙幣投入口９、返却レバー１０、金額表示部１１、返却口１２、商品払出口１３がそれぞれ設けられている。
【００５０】
この実施形態（第５の例）では、非選択販売（グループ選択販売）は、利用客がグループ選択販売用の所定の金額を投入し、操作ボタン６を操作することで実行される。また、個別選択販売は、利用者が個別選択販売用の金額を投入し、商品陳列部５の各商品見本陳列位置に対応する商品選択ボタン７を操作することで実行される。そして、その販売形態、販売動作制御等は先の第１の例と同様である。図２〜図４はこの実施形態（第２の例）にも対応する。
【００５１】
（実施形態の第６の例）
図９は本発明の実施形態の第６の例の自動販売機の正面図である。
この実施形態（第６の例）の自動販売機は、例えばＡ〜Ｄの４種類（４種類に限るものではなく、複数種類であればよい。）の商品を１つの商品グループとして、通常の販売形態である非選択販売（グループ選択販売）と、特別な販売形態である個別選択販売が可能であるようにしたものであり、また、非選択販売（グループ選択販売）用であり少なくとも一部が個別選択販売用でもある商品見本３を陳列する共通化した商品陳列部１８を設け、商品見本毎に非選択購入用（グループ選択購入用）の操作ボタン（グループ選択購入操作部）であり少なくとも一部が個別選択購入用の商品選択ボタン（個別選択購入操作部）でもある購入ボタン１９を設けて、非選択購入処理の条件が成立したときは、購入ボタン１９を順次点滅させるなどして非選択購入処理であることを表示して、いずれかの購入ボタン１９が押下されることで非選択販売（グループ選択販売）を実行し、個別選択購入処理の条件が成立したときは、購入ボタン１９が全点灯（売り切れた商品に対応する購入ボタン１９は消灯または売り切れ表示）し、個別選択販売が可能になって、いずれかの購入ボタン１９が押下されることで、押下された購入ボタン１９に対応する商品を投出する個別選択販売を実行するようにしたものである。
【００５２】
この自動販売機の扉体２には、正面上部に、例えばＡ〜Ｄの４種類の商品の商品見本３を陳列する非選択販売（グループ選択販売）用と個別選択販売用に共通化した商品陳列部１８が設けられ、その各商品見本陳列位置に対応して、購入ボタン１９が設けられている。また、扉体２には、先の第１の例と同様に、硬貨投入口８、紙幣投入口９、返却レバー１０、金額表示部１１、返却口１２、商品払出口１３がそれぞれ設けられている。
【００５３】
この実施形態（第６の例）では、非選択販売（グループ選択販売）は、利用客がグループ選択販売用の所定の金額を投入し、購入ボタン１９を順次点滅する状態でいずれかの購入ボタン１９を操作することで実行される。また、個別選択販売は、利用者が個別選択販売用の金額を投入し、購入ボタン１９が点灯した状態で、その点灯した購入ボタン１９を操作することで実行される。そして、その販売形態、販売動作制御等は先の第１の例と同様である。図２〜図４はこの実施形態（第２の例）にも対応する。
【００５４】
（実施形態の第７の例）
図１０は本発明の実施形態の第７の例の自動販売機の正面図である。
この実施形態（第７の例）の自動販売機は、例えばＡ〜Ｄの４種類（４種類に限るものではなく、複数種類であればよい。）の商品を１つの商品グループとして、通常の販売形態である非選択販売（グループ選択販売）と、特別な販売形態である個別選択販売が可能であるようにしたものであり、また、非選択販売（グループ選択販売）用であり少なくとも一部が個別選択販売用でもある商品見本３を陳列する共通化した商品陳列部１８を設け、商品見本毎にランプ２４を設け、また、非選択購入用（グループ選択購入用）の操作ボタン（グループ選択購入操作部）として用いるとともに個別選択購入用の商品選択ボタン（個別選択購入操作部）として用いる決定ボタン２５と、個別選択購入用の商品選択ボタン（個別選択購入操作部）の一部を構成する左右の矢印キー２６を設けて、非選択購入処理の条件が成立したときは、ランプ２４を順次点滅させるなどして非選択購入処理であることを表示して、決定ボタン２５が押下されることで非選択販売（グループ選択販売）を実行し、個別選択購入処理の条件が成立したときは、いずれかのランプ２４を点灯させ、その点灯するランプ２４の位置を矢印キー２６の操作により選択できるようにして、決定ボタン２５が押下されることで、ランプ２４が点灯している位置の商品見本に対応する商品を投出する個別選択販売を実行するようにしたものである。
【００５５】
この自動販売機の扉体２には、正面上部に、例えばＡ〜Ｄの４種類の商品の商品見本３を陳列する非選択販売（グループ選択販売）用と個別選択販売用に共通化した商品陳列部１８が設けられ、その各商品見本陳列位置に対応して、ランプ２４が設けられ、その下方中央に、決定ボタン２５と矢印キー２６が設けられている。また、扉体２には、先の第１の例と同様に、硬貨投入口８、紙幣投入口９、返却レバー１０、金額表示部１１、返却口１２、商品払出口１３がそれぞれ設けられている。
【００５６】
この実施形態（第７の例）では、非選択販売（グループ選択販売）は、利用客がグループ選択販売用の所定の金額を投入し、ランプ２４が順次点滅する状態で決定ボタン２５を操作することで実行される。また、個別選択販売は、利用者が個別選択販売用の金額を投入し、いずれかのランプ２４が点灯した状態で、点灯するランプ２４の位置を矢印キー２６で選択し、決定ボタン２５を操作することで可能となる。そして、その販売形態、販売動作制御等は先の第１の例と同様である。図２〜図４はこの実施形態（第２の例）にも対応する。
【００５７】
（実施形態の第８の例）
図１１は本発明の実施形態の第８の例の自動販売機の正面図である。
この実施形態（第８の例）の自動販売機は、例えばＡ〜Ｄの４種類（４種類に限るものではなく、複数種類であればよい。）の商品を１つの商品グループとして、通常の販売形態である非選択販売（グループ選択販売）と、特別な販売形態である個別選択販売が可能であるようにしたものであり、また、非選択販売（グループ選択販売）用であり少なくとも一部が個別選択販売用でもある商品見本３を陳列する共通化した商品陳列部１８を設け、商品見本毎に非選択購入用（グループ選択購入用）の操作ボタン（グループ選択購入操作部）であり少なくとも一部が個別選択購入用の商品選択ボタン（個別選択購入操作部）でもある購入ボタン１９を設け、非選択購入処理の条件が成立したときは、購入ボタン１９を順次点滅させるなどして非選択購入処理であることを表示して、いずれかの購入ボタン１９が押下されることで非選択販売（グループ選択販売）を実行し、個別選択購入処理の条件が成立したときは、個別選択販売用の商品見本３に対応する購入ボタン１９が購入可能表示（全点灯または全点滅など。売り切れた商品に対応する購入ボタン１９は消灯または売り切れ表示。）し、個別選択販売が可能になって、いずれかの購入ボタン１９が押下されることで、押下された購入ボタン１９に対応する商品を投出する個別選択販売を実行するものであり、また、まとめ買いボタン２７を設けて、まとめ買いの個数を利用客ごとの購入履歴の１つとして、まとめ買いで販売された個数が所定個数に達したときに、所定の購入履歴となったということで、個別選択購入処理を実行するようにしたものである。
【００５８】
この自動販売機の扉体２には、正面上部に、例えばＡ〜Ｄの４種類の商品の商品見本３を陳列する非選択販売（グループ選択販売）用と個別選択販売用に共通化した商品陳列部１８が設けられ、その各商品見本陳列位置に対応して、購入ボタン１９が設けられ、その下方中央に、まとめ買いボタン２７が設けられている。また、扉体２には、先の第１の例と同様に、硬貨投入口８、紙幣投入口９、返却レバー１０、金額表示部１１、返却口１２、商品払出口１３がそれぞれ設けられている。
【００５９】
この実施形態（第８の例）では、非選択販売（グループ選択販売）は、利用客がグループ選択販売用の所定の金額を投入し、購入ボタン１９が順次点滅する状態でいずれかの購入ボタン１９を操作することで実行される。また、個別選択販売は、利用者が個別選択販売用の金額を投入し、購入ボタン１９が点灯した状態で、その点灯した購入ボタン１９を操作することで実行される。そして、その販売形態、販売動作制御等は先の第１の例と同様である。図２〜図４はこの実施形態（第２の例）にも対応する。
【００６０】
そして、この実施形態（第８の例）では、まとめ買いする場合、まとめ買いで販売された個数が所定個数に達すると個別選択購入が可能となる。例えば、１００円の商品を５個まとめ買いする場合、５００円投入して、まとめ買いボタン２７を押下すると、最初の４個は非選択購入処理（グループ選択購入処理）により商品が投出されるが、５個目の商品は、購入ボタン１９の操作による個別選択購入が可能となる。この実施形態では、グループ選択購入処理を行う条件は、第１の価格の金銭投入であり、個別購入処理を行う条件は、第２の価格の金銭投入と、購入履歴（所定個数のまとめ買いがなされたこと）であり、第１の価格と第２の価格が同じ値であってもよい。
【００６１】
（実施形態の第９の例）
図１２は本発明の実施形態の第９の例の自動販売機の正面図である。
この実施形態（第９の例）の自動販売機は、例えばＡ〜Ｄの４種類（４種類に限るものではなく、複数種類であればよい。）の商品を１つの商品グループとして、通常の販売形態である非選択販売（グループ選択販売）と、特別な販売形態である個別選択販売が可能であるようにしたものであり、また、非選択販売（グループ選択販売）用であり少なくとも一部が個別選択販売用でもある商品見本３を陳列する共通化した商品陳列部１８を設け、商品見本毎に非選択購入用（グループ選択購入用）の操作ボタン（グループ選択購入操作部）であり少なくとも一部が個別選択購入用の商品選択ボタン（個別選択購入操作部）でもある購入ボタン１９を設け、非選択購入処理の条件が成立したときは、購入ボタン１９を順次点滅させるなどして非選択購入処理であることを表示して、いずれかの購入ボタン１９が押下されることで非選択販売（グループ選択販売）を実行し、個別選択購入処理の条件が成立したときは、個別選択販売用の商品見本３に対応する購入ボタン１９が全点灯（売り切れた商品に対応する購入ボタン１９は消灯または売り切れ表示）し、個別選択販売が可能になって、いずれかの購入ボタン１９が押下されることで、押下された購入ボタン１９に対応する商品を投出する個別選択販売を実行するものであり、また、ＩＣカード等を読み取るカードリーダ２８を設け、ＩＣカード等に利用客ごとの購入履歴を記録して、利用客ごとの購入履歴が所定の購入履歴となったときに個別選択販売が可能となるようにしたものである。
【００６２】
この自動販売機の扉体２には、正面上部に、例えばＡ〜Ｄの４種類の商品の商品見本３を陳列する非選択販売（グループ選択販売）用と個別選択販売用に共通化した商品陳列部１８が設けられ、その各商品見本陳列位置に対応して、購入ボタン１９が設けられ、その下方右側に、カードリーダ２８が設けられ、左側に個別選択購入解除ボタン２９が設けられている。また、扉体２には、先の第１の例と同様に、硬貨投入口８、紙幣投入口９、返却レバー１０、金額表示部１１、返却口１２、商品払出口１３がそれぞれ設けられている。
【００６３】
この実施形態（第９の例）では、非選択販売（グループ選択販売）は、利用客が所定の金額を投入し、購入ボタン１９が順次点滅する状態でいずれかの購入ボタン１９を操作することで実行される。また、個別選択販売は、利用客が提示したＩＣカードの読み取りが完了し、利用客が所定の金額を投入し、かつ、購入履歴が所定の値を満たすと判定されると、購入ボタン１９が点灯した状態で、その点灯した購入ボタン１９を操作することで実行される。そして、その販売形態、販売動作制御等は先の第１の例と同様である。図２〜図４はこの実施形態（第２の例）にも対応する。
【００６４】
そして、この実施形態（第９の例）では、購入履歴により個別選択購入が可能となると、表示部１１にその旨が表示され、個別選択販売用の商品見本３に対応する購入ボタン１９が全点灯する。そして、その点灯した購入ボタン１９を押下することで、その商品が投出され、購入履歴に個別選択購入したことが記録される。また、個別選択購入を希望しない場合は、個別選択購入解除ボタン２９を押下することで、非選択購入処理（グループ選択購入処理）に戻すことができる。なお、購入履歴は、ＩＣカード等を読み取る以外に、暗証番号や、指紋などの身体情報によって利用客を特定し、メモリ２１から読み取るようにすることもできる。この実施形態では、前記第８の例と同様に、第１の価格と第２の価格を同値とすることができる。
【００６５】
（実施形態の第１０の例）
図１３は本発明の実施形態の第１０の例の自動販売機の正面図である。
この実施形態（第１０の例）の自動販売機は、例えばＡ〜Ｄの４種類（４種類に限るものではなく、複数種類であればよい。）の商品を１つの商品グループとして、通常の販売形態である非選択販売（グループ選択販売）と、特別な販売形態である個別選択販売が可能であるようにしたものであり、また、非選択販売（グループ選択販売）用であり少なくとも一部が個別選択販売用でもある商品見本３を陳列する共通化した商品陳列部１８を設け、商品見本毎に非選択購入用（グループ選択購入用）の操作ボタン（グループ選択購入操作部）であり少なくとも一部が個別選択購入用の商品選択ボタン（個別選択購入操作部）でもある購入ボタン１９を設け、非選択購入処理の条件が成立したときは、購入ボタン１９を順次点滅させるなどして非選択購入処理であることを表示して、いずれかの購入ボタン１９が押下されることで非選択販売（グループ選択販売）を実行し、個別選択購入処理の条件が成立したときは、個別選択販売用の商品見本３に対応する購入ボタン１９が全点灯（売り切れた商品に対応する購入ボタン１９は消灯または売り切れ表示）し、個別選択販売が可能になって、いずれかの購入ボタン１９が押下されることで、押下された購入ボタン１９に対応する商品を投出する個別選択販売を実行するものであり、また、ルーレット３０を設け、非選択購入処理の条件が成立したときは、ルーレット３０によるゲームを開始して、その結果が当選である場合は個別選択販売が可能となるようにしたものである。
【００６６】
この自動販売機の扉体２には、正面上部に、例えばＡ〜Ｄの４種類の商品の商品見本３を陳列する非選択販売（グループ選択販売）用と個別選択販売用に共通化した商品陳列部１８が設けられ、その各商品見本陳列位置に対応して、購入ボタン１９が設けられ、その下方左側に、ルーレット３０が設けられている。また、扉体２には、先の第１の例と同様に、硬貨投入口８、紙幣投入口９、返却レバー１０、金額表示部１１、返却口１２、商品払出口１３がそれぞれ設けられている。
【００６７】
この実施形態（第１０の例）では、非選択販売（グループ選択販売）は、利用客が非選択販売用（グループ選択販売用）の所定の金額を投入し、購入ボタン１９が順次点滅する状態でいずれかの購入ボタン１９を操作することで実行される。また、個別選択販売は、利用者が個別選択販売用の金額を投入し、購入ボタン１９が点灯した状態で、その点灯した購入ボタン１９を操作することで実行される。そして、その販売形態、販売動作制御等は先の第１の例と同様である。図２〜図４はこの実施形態（第２の例）にも対応する。
【００６８】
そして、この実施形態（第１０の例）では、非選択販売用（グループ選択販売用）の所定の金額が投入されるとルーレット３０によるゲームが開始される。そして、ルーレット３０によるゲームの結果、当選した場合は、表示部１１にその旨が表示され、個別選択販売用の商品見本３に対応する購入ボタン１９が全点灯する。そして、その点灯した購入ボタン１９を押下することで、その商品が投出される。この実施形態では、個別選択購入処理の開始条件として、ゲームの当選が追加され、第８、第９の例と同様に、第１の価格と第２の価格は同じ金額とすることができる。
【図面の簡単な説明】
【００６９】
【図１】本発明の実施形態の第１の例の自動販売機の斜視図である。
【図２】本発明の実施形態の第１の例の自動販売機の扉開放時の斜視図である。
【図３】本発明の実施形態の第１の例の自動販売機の制御ブロック図である。
【図４】本発明の実施形態の第１の例の自動販売機の販売動作制御のフローチャートである。
【図５】本発明の実施形態の第２の例の自動販売機の正面図である。
【図６】本発明の実施形態の第３の例の自動販売機の正面図である。
【図７】本発明の実施形態の第４の例の自動販売機の正面図である。
【図８】本発明の実施形態の第５の例の自動販売機の正面図である。
【図９】本発明の実施形態の第６の例の自動販売機の正面図である。
【図１０】本発明の実施形態の第７の例の自動販売機の正面図である。
【図１１】本発明の実施形態の第８の例の自動販売機の正面図である。
【図１２】本発明の実施形態の第９の例の自動販売機の正面図である。
【図１３】本発明の実施形態の第１０の例の自動販売機の正面図である。
【符号の説明】
【００７０】
１  自動販売機本体
２  扉体
３  商品見本
４  商品陳列部（グループ選択販売用）
５  商品陳列部（個別選択販売用）
６  操作ボタン（グループ選択購入操作部）
７  商品選択ボタン（個別選択購入操作部）
１１  金額表示部
１３  商品払出口
１４ａ〜１４ｆ  商品コラム
１５ａ〜１５ｆ  商品コラム
１６  商品投出ユニット
１９  購入ボタン
２０  制御部
２１  メモリ
２４  ランプ
２５  決定ボタン
２６  矢印キー
２７  まとめ買いボタン
２８  カードリーダ
２９  個別選択購入解除ボタン
３０  ルーレット
【図１】
2010118022.tif 000003
【図２】
2010118022.tif 000004
【図３】
2010118022.tif 000005
【図４】
2010118022.tif 000006
【図５】
2010118022.tif 000007
【図６】
2010118022.tif 000008
【図７】
2010118022.tif 000009
【図８】
2010118022.tif 000010
【図９】
2010118022.tif 000011
【図１０】
2010118022.tif 000012
【図１１】
2010118022.tif 000013
【図１２】
2010118022.tif 000014
【図１３】
2010118022.tif 000015